(57)【要約】【課題】張り替えが容易にできるように、室内の壁、天井、襖、障子、ソファー、家具等の装飾面に貼り付け、もしくはその構成の一部とすることができるようにしたシート部材を提供する。【解決手段】シート部材が、室内装飾面に永久接着される基体シートと、基体シート上に重ねて設けた剥離用シートと、基体シートおよび剥離用シート間を一時接着する接着剤と、を備え、剥離用シートが手による剥離力で剥がせるようにする。また、剥離用シートは、複数枚設けられ、それぞれが、接着剤で接着され、順次新たな剥離用シートが表面に露出するようにする。剥離用シートを接着する接着剤は、１番下の剥離用シートから順に、接着力を強くする。【選択図】図２
2005125575.tif 000002
【特許請求の範囲】
【請求項１】
室内装飾面に貼ることにより室内を装飾するシート部材において、
前記シート部材は、前記室内装飾面に永久接着される基体シートと、
前記基体シート上に重ねて設けた剥離用シートと、
前記基体シートおよび前記剥離用シート間を一時接着する接着剤と、を備え、
前記剥離用シートが手による剥離力で剥がせるようにしたことを特徴とする多重層シート。
【請求項２】
前記剥離用シートは、複数枚設けられ、それぞれが、前記接着剤で接着され、順次新たな剥離用シートが表面に露出するように構成されていることを特徴とする請求項１に記載の多重層シート。
【請求項３】
前記剥離用シートを接着する前記接着剤は、１番下の前記剥離用シートから順に、接着力が強くなるように構成されていることを特徴とする請求項１または２に記載の多重層シート。
【請求項４】
前記基体シートおよび前記剥離用シートの表面には、前記接着剤の接着力よりも強くなるようにして、二酸化チタンの薄層が形成されていることを特徴とする請求項１乃至３に記載の多重層シート。
【発明の詳細な説明】
【技術分野】
【０００１】
本発明は、覆うことにより装飾可能な、壁、天井、襖、障子、ソファー、家具等の装飾面に貼り付け、もしくはその構成の一部とするシート体に関する。
【背景技術】
【０００２】
装飾面は、室内において、壁や天井のみならず、襖、障子、ソファー、家具等、多種多様なものに備わっている。このような装飾面には、好適な素材を利用して、さらに、その表面を加工することによって、デザインが施されている。また、室内の多くの部分を占める壁や天井には、壁紙が貼られることにより、遮音、吸音、断熱、防火等の機能が備えられているものもある。壁紙の表面にはエンボス加工が施され、石目調、織物調、天井柄などのテクスチャーを表現した無地系のものから、プリントを施して花柄や木目調を表現したもの、発泡剤を混入すると共に、過熱処理することで、スポンジのように膨らませ、その上にプリント加工や、エンボス加工を加えたものものなどがある。特開平１１−２２１２７９９号公報には、基材層の片面側に下地に粘着させることのできる粘着剤層を有し、基材層の片面側に装飾層を備えた粘着剤付き壁紙が開示されており、下地に壁紙を粘着させたときに壁紙の膨れが防止できるものとなっている。特開２０００−２８０６９９号公報には、室内の壁面に貼るための粘着剤付き壁紙が開示されている。この発明は、感圧型の粘着剤付き壁紙に関し、粘着剤の上には、剥離シートが貼り付けられているものである。また、粘着剤が長期に亘って変性しないように、壁紙本体（合成樹脂系シート）の表面に、水溶性樹脂または水系エマルジョン樹脂を塗布して乾燥した後に、粘着剤、剥離紙を積層して形成されている。
【特許文献１】特開平１１−２２１２７９９号公報
【特許文献２】特開２０００−２８０６９９号公報
【発明の開示】
【発明が解決しようとする課題】
【０００３】
張り替えが容易にできるように、室内の壁、天井、襖、障子、ソファー、家具等の装飾面に貼り付け、もしくはその構成の一部とすることができるようにしたシート部材を提供する。
【課題を解決するための手段】
【０００４】
本発明の多重層シートは、室内装飾面に貼ることにより室内を装飾するシート部材において、前記シート部材が、前記室内装飾面に永久接着される基体シートと、前記基体シート上に重ねて設けた剥離用シートと、前記基体シートおよび前記剥離用シート間を一時接着する接着剤と、を備え、前記剥離用シートが手による剥離力で剥がせるようにしたことを特徴とする。また、前記剥離用シートは、複数枚設けられ、それぞれが、前記接着剤で接着され、順次新たな剥離用シートが表面に露出するように構成されていることを特徴とする。前記剥離用シートを接着する前記接着剤は、１番下の前記剥離用シートから順に、接着力が強くなるように構成されていることを特徴とする。前記基体シートおよび前記剥離用シートの表面には、前記接着剤の接着力よりも強くなるようにして、二酸化チタンの薄層が形成されていることを特徴とする。
【発明の効果】
【０００５】
本発明の多重層シートは、室内装飾面に永久接着される基体シートに重ねて剥離用シートが一時接着されているので、剥離用シートが汚れあるいは損傷した場合であっても、これを剥離することにより、容易に新たな剥離用シートの表面を露出させることができる。
また、多重層シートは、覆うことにより装飾可能な、壁、天井、ソファー、襖、障子、家具等の装飾面に貼り付け、もしくはその構成の一部とするものであり、剥離用シートが複数枚設けられることにより、重ねられた枚数分だけ張り替えられる。
剥離用シートは、それぞれが、接着強度を変えて一時接着されているので、リニューアルが簡単に行える。
二酸化チタンの薄層は、光で活性化するので防汚・防臭作用があり、また、ホルムアルデヒド、揮発性有機化合物（ＶＯＣ）等のシックハウス症候群の原因物質が除去できるので、これを表面にコーティングすることにより、室内を快適なものにする。
【発明を実施するための最良の形態】
【０００６】
張り替えられることでリニューアルされる装飾面が、張り替えることなくリニューアルできるようにするという目的を、室内装飾面に永久接着される基体シートと、基体シート上に複数枚重ねて設けた剥離用シートと、それぞれを一時接着する接着剤とで構成し、順次新たな剥離用シートもしくは基体シートが、表面に露出するように構成した。
【実施例１】
【０００７】
図１は、壁、天井等の室内装飾面に直接押圧するだけで貼り付けるように形成した多重層シート１０であり、これを断面で示した説明図である。この図１に示したように、本発明の多重層シート１０は、室内装飾面に、永久接着剤３を介して貼り付けられる基体シート１と、基体シート１の表面上に、一時接着剤４ａを介して重ねて設けた剥離用シート２ａと、さらにその上に、一時接着剤４を介して重ねて設けた剥離用シート２とから形成される。また、基体シート１の背面には、永久接着剤３を介して剥離紙５が設けられている。この剥離紙５は、室内装飾面に貼付作業をする際、接着剤の塗布工程を省略し、短時間で貼替えが完了できるようにする。これにより、多重層シート１０における剥離面Ａは、剥離紙５と永久接着剤３の間、基体シート１と一時接着剤４ａの間、剥離用シート２ａと一時接着剤４の間となる。
【０００８】
このように形成される基体シート１もしくは剥離用シート２、２ａは、加工紙、合成紙、レーヨン等のセルロースによる織物シート、塩化ビニル等のビニルシート、アクリル等の化学繊維シート、ガラス繊維等の無機質シート、合成樹脂（プラスチック）シート等が利用できるものであり、それぞれの表面は、彩色加工もしくは凹凸加工して形成される。また、剥離紙５は、永久接着剤３をシールするものであり、貼付作業の際に剥離可能に貼り付けてある。
【０００９】
一時接着剤４、４ａは、剥離用シート２ａおよび剥離用シート２の間、基体シート１および剥離用シート２ａの間に設けられる。これらの一時接着剤４、４ａは、押圧力で一時的に接着する再剥離性接着剤であり、一時接着剤４の接着力を一時接着剤４ａより弱くして、最上層の剥離用シート２が剥がれ易くしている。これにより、誤って２枚の剥離用シートを同時に剥がしてしまうような誤りがなくなる。
【００１０】
一時接着剤４、４ａは、天然ゴムラテックスや、酸化劣化、紫外線劣化等の少ないアクリルエマルジョンを混合したもの、さらには、天然ゴムラテックス存在下にアクリル酸エステルモノマーを重合させたものが利用できる。このような一時接着剤４、４ａは、圧着後の接着強度が変化することがないように、基体シート１および剥離用シート２、２ａに塗布・乾燥され、例えば、接着強度が大きくなり過ぎて、剥離する際にシートを破損したり、接着強度が低下することにより、自然剥離を生じないようにする。また、剥離した際に、一時接着剤４、４ａが、下側のシートの表面に残ることにより、シートがべとつく等の問題は生じないものとする。
【実施例２】
【００１１】
図２は、実施例１の多重層シート１０に、二酸化チタンの薄層７、及び、永久接着剤３および一時接着剤４、４ａを保護する保護層６を設けたものである。保護層６は、例えば、基体シート１および剥離用シート２、２ａが可塑剤入りの合成樹脂シートであった場合、これらに含まれる可塑剤が、永久接着剤３および一時接着剤４、４ａに浸透することで、接着能を劣化させることがあるので、これを防止するものである。このような可塑剤の浸透を防止する手段として、ポリビニルアルコール、水溶性ポリエステル、ポリスチレン系共重合体などを塗布・乾燥して保護層６を設ける。また、図は省略するが、剥離面Ａにおいて、基体シート１の表裏面、剥離用シート２ａの表面に、剥離紙５と永久接着剤３とが容易に剥離できるように、シリコーン樹脂を塗布してもよい。
【００１２】
二酸化チタンの薄層７は、基体シート１および剥離用シート２、２ａの表面に防汚・防臭機能を備えるためのものであり、二酸化チタンのアナターゼ微粒子を塗布して薄膜層を形成して光触媒活性を発揮させる。このような光触媒活性は、基体シート１および剥離用シート２、２ａの表面を劣化させることがあるので、二酸化チタンのアナターゼ微粒子を塗布する前に非結晶粒子を塗布する等の劣化防止手段を設ける。これにより、接着剤から発生する揮発性のホルムアルデヒド等の有害物質、タバコ臭、生活臭が除去されるものとなる。このような二酸化チタンの薄層７は、基体シート１および剥離用シート２、２ａの表面に、一時接着剤４、４ａの接着力で剥がれないように形成される。
【００１３】
本発明の多重層シート１０は、基体シート１および剥離用シート２、２ａの材質や組み合わせは自在であり、基体シート１の上に重ねられる剥離用シートの枚数も限定されるものではない。さらに、壁や天井に設けられる壁紙に限定されることなく、襖、障子、ソファー、家具等の装飾面に貼り付け、もしくはその構成の一部として装飾するものである。
【図面の簡単な説明】
【００１４】
【図１】実施例１の多重層シートを断面で示した説明図である。
【図２】実施例２の多重層シートを断面で示した説明図である。
【符号の説明】
【００１５】
１  基体シート
２、２ａ  剥離用シート
３  永久接着剤
４  一時接着剤
５  剥離紙
６  保護層
Ａ  剥離面
１０  多重層シート
【図１】
2005125575.tif 000003
【図２】
2005125575.tif 000004